(57)【特許請求の範囲】
【請求項１】
軸筒内に芯の把持・解放を行うチャック体が配置されたシャ−プペンシルであって、前記チャック体の前進動作によって芯を繰り出すと共に、そのチャック体に把持された芯の後退動作によって前記チャック体が回転するチャック体回転手段を備え、そのチャック体回転手段は、摺動子とその摺動子に当接する回転子、並びに、前記軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置したことを特徴とするシャ−プペンシル。
【発明の詳細な説明】
【０００１】
【発明の属する技術分野】
本発明は、軸筒内に芯の把持・解放を行うチャック体が配置されたシャ−プペンシルに関する。
【０００２】
【従来の技術】
芯繰り出し機構を内蔵するシャ−プペンシルの軸筒の後端に前記芯繰り出し機構を作動せしめるノック部材を有するシャ−プペンシルとして、実開平４−１０４４９２号公報が知られている。チャックの後方にクッションばねを設け、過剰な筆記圧による芯の折損を防止すると共に、前記クッションばねの弾撥力も可変できるというものである。
【０００３】
【発明が解決しようとする課題】
しかし、上記従来技術にあっては、クッションばねにより芯の折損は防止できるものの、筆記により芯が片減りし、芯の端面が楕円状になってしまい、その結果、筆記線の幅が次第に太くなってしまうものであった。ここで、細い状態の筆記線の幅を保つためには、細い径の芯で筆記する方法もあるが、芯が細いため折損強度が低下してしまう。また、筆記具を持ち変え筆記具自体を回転させる使い方もある。つまり、筆記具自体を回転させることにより、芯を間接的に回転させ、芯の他の端面を筆記する（紙）面に向けるのである。しかし、その都度、筆記具を持ち変え回転させなければならず、その動作は、面倒であり、また、煩わしいことでもあった。
【０００４】
【課題を解決するための手段】
本発明は、上記問題点に鑑みてなされたものであり、軸筒内に芯の把持・解放を行うチャック体が配置されたシャ−プペンシルであって、前記チャック体の前進動作によって芯を繰り出すと共に、そのチャック体に把持された芯の後退動作によって前記チャック体が回転するチャック体回転手段を備え、そのチャック体回転手段は、摺動子とその摺動子に当接する回転子、並びに、前記軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置したことを要旨とするものである。
【０００５】
【実施例】
図１、図３〜図６に１例を示し説明する。軸筒１の内部には、複数の芯を貯蔵する芯タンク２が前後動可能（以下、図中下方を前方といい、上方を後方という）に配置されている。その芯タンク２の前端には、芯の把持・解放を行うチャック体３が固定されており、そのチャック体３には、チャック体３の開閉を行うチャックリング４が囲繞した状態で挿着されている。また、前記軸筒１の前端には、芯戻り止め部材５を内設した先部材６が螺着などの手段によって着脱自在に固定されている。符号７は、前記チャック体３を前方に付勢しているコイルスプリングなどの弾撥性を有するチャックスプリングである。
【０００６】
前記芯タンク２には、摺動子８が挿着されており、その摺動子８の前端は、中子Ｎを介して前記チャックリング４の後端に当接しているが、図２に示すように摺動子８とチャックリング４とを直接当接させても良い。一方、摺動子８の後端外周には、等間隔で縦リブ９が形成されており、また、摺動子８の後端面は、前記縦リブ９に当たる箇所を頂部とするような山形状の突起１０が複数、等間隔に形成されている。
その突起１０は、前記軸筒１の中間部の内壁面に形成されているカム部１１に係合している。詳述すると、前記カム部１１は、軸筒１に対して長手方向に長い縦突起１２と、その縦突起１２よりも長さが短く、また、軸筒１の内径よりも小さいが縦突起１２の内径よりも大きい内径の縦溝部１３とから構成されており、それら縦突起１２の上端面と縦溝部１３の上端面は、傾斜面１４によって連結されている。尚、それら縦突起１２と縦溝部１３は、前記軸筒１の内周面に等間隔に複数形成されている。ここで、前記摺動子８の突起１０は、カム部１１の縦溝部１３に係合しており、そのカム部１１（軸筒１）に対して回転不能ではあるが、上下方向への移動は可能になっている。
【０００７】
また、前記摺動子８の上端には、回転子１５が弾撥部材１６によって前方に付勢せしめられ当接している。その回転子１５は、外周部に縦突起１７を有しており、その突起１７の下端には、傾斜面１８が形成されている。そして、前記縦突起１７は、前記カム部１１の傾斜面１４に当接している。
前記回転子１５の中心部には、前記芯タンク２が貫通する貫通孔１９が形成されているが、それら回転子１５と芯タンク２とは回転不能ではあるが、上下方向への移動は可能になっている。具体的には、前記貫通孔１９の対向した位置には、凹部２０が形成されており、その凹部２０に芯タンク２に形成されている突部２１が係合している（図４参照）。
【０００８】
前記回転子１５の後方には、前記弾撥部材１６の後方への移動（脱落）を防止するスプリング受け２２が固定されている。
また、前記芯タンク２の後端には、消しゴム２３を保持した消しゴムホルダ−２４が着脱自在に圧入されている。そして、その消しゴムホルダ−２４には押圧操作部ともなるノック（消しゴム）キャップ２５が着脱自在に圧入されている。
【０００９】
次に作用について説明する。芯を繰り出す際には、一般的なシャ−プペンシルと同様にノック（消しゴム）キャップ２５を押圧する。この押圧動作によって芯タンク２が回転子１５の貫通孔１９を摺動しながら前進する。その芯タンク２の前進に伴いチャック体３が前進し、この時芯Ｌをも前進せしめ、やがてチャック体３が拡開する。ここで、前記ノックキャップ２５の押圧操作を解除すると、芯タンク２とチャック体３が後退し、再び芯Ｌを把持する。これで芯の繰り出しが完了する。
【００１０】
筆記している最中に、芯が片減りし筆記線が太くなってしまった場合には、筆記の最中に芯Ｌを紙面（筆記面）に少し強く押し付ける。この押し付け動作によって、前記芯Ｌを把持しているチャック体３を介してチャックリングが後退する。また、そのチャックリング４の後退に伴い、前記摺動子８が後退し、回転子１５をも後退せしめる（図６参照）。この回転子１５の後退動作によって、回転子１５の突起１７は、カム部１１の縦突起１２の頂部に達し、やがて次（隣）の縦突起１２の傾斜面１４に回転しながら滑り落ちる（前進し基の位置に復帰する）。摺動子８の突起１０と回転子１５の傾斜面１８との係合状態により、前記回転子１５に回転の切っ掛けが与えられ、次いで傾斜面１８と傾斜面１４との係合状態によって回転するのである。ここで、弾発部材１６の弾発力の設定によっては、具体的には、弾発力を小さくすれば、芯を紙面から離す度に回転させることもできる。
前記の動作の結果、回転子１５の回転により芯タンク２が回転せしめられ、チャック体３とそのチャック体３に把持されている芯Ｌが回転する。
尚、芯を紙面に押し付けることによって、芯（チャック体）が後退するので、従来技術のようにクッション作用が働き、芯の折れをも防止することができる。
【００１１】
【発明の効果】
本発明は、軸筒内に芯の把持・解放を行うチャック体が配置されたシャ−プペンシルであって、前記チャック体の前進動作によって芯を繰り出すと共に、そのチャック体に把持された芯の後退動作によって前記チャック体が回転するチャック体回転手段を備え、そのチャック体回転手段は、摺動子とその摺動子に当接する回転子、並びに、前記軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置したので、芯を紙面に押し付けるだけの簡単な動作で芯を回転させることができ、よって、芯に片減りが発生せず、一定の幅の筆記線を描くことができる。
【図面の簡単な説明】
【図１】  本発明の第１例を示す縦断面図。
【図２】  変形例を示す縦断面図。
【図３】  要部部品を示す１部断面斜視図。
【図４】  図１のＡ−Ａ線断面図。
【図５】  芯の繰り出し動作を示す縦断面図。
【図６】  芯の回転動作を示す縦断面図。
【符号の説明】
１      軸筒
２      芯タンク
３      チャック体
４      チャックリング
５      芯戻り止め部材
６      先部材
７      チャックスプリング
８      摺動子
９      縦リブ
１０    突起
１１    カム部
１２    縦突起
１３    縦溝部
１４    傾斜面
１５    回転子
１６    弾撥部材
１７    縦突起
１８    傾斜面
１９    貫通孔
２０    凹部
２１    突部
２２    スプリング受け
２３    消しゴム
２４    消しゴムホルダ−
２５    ノックキャップ
【図１】
0003882272.tif 000002
【図２】
0003882272.tif 000003
【図３】
0003882272.tif 000004
【図４】
0003882272.tif 000005
【図５】
0003882272.tif 000006
【図６】
0003882272.tif 000007